(57)【要約】【課題】小さく剛性のある嵌合部を有する筐体構造を提供する。【解決手段】筐体の第１面及び第１面と直交する側壁面を構成する第１部材と、側壁面に接しながら移動可能であり、第１面と対向する第２面を構成する第２部材と、第１部材に取り付けられ第２部材と嵌合する金属製の金属部材とを具備する。第１部材は、側壁面の近傍に配置される突起部と、側壁面と突起部との間に形成された第１取付部とを備える。金属部材は、側壁面と突起部とを付勢して第１取付部に取り付けられる第２取付部と、第１嵌合部とを備える。第２部材は、第１嵌合部と嵌合する第２嵌合部を備える。そして、第１嵌合部と第２嵌合部とは移動方向に嵌合する。【選択図】図１
2009278200.tif 000002
【特許請求の範囲】
【請求項１】
筐体の第１面及び前記第１面と直交する側壁面を構成する第１部材と、
前記側壁面に接しながら移動可能であり、前記第１面と対向する第２面を構成する第２部材と、
前記第１部材に取り付けられ、前記第２部材と嵌合する金属製の金属部材と
を具備し、
前記第１部材は、
前記側壁面の近傍に配置される突起部と、
前記側壁面と前記突起部との間に形成された第１取付部と
を備え、
前記金属部材は、
前記側壁面と前記突起部とを付勢して前記第１取付部に取り付けられる第２取付部と、
第１嵌合部と
を備え、
前記第２部材は、
前記第１嵌合部と移動方向に嵌合する第２嵌合部
を備える
筐体構造。
【請求項２】
請求項１に記載の筐体構造であって、
前記第１嵌合部は、前記金属部材が絞られた突起状の部位であり、
前記第２嵌合部は、前記第１嵌合部と嵌合する突起状の部位である
筐体構造。
【請求項３】
請求項１又は２に記載の筐体構造であって、
前記第２取付部は、Ｕ字状に形成された部位である
筐体構造。
【請求項４】
請求項１乃至３の何れか一項に記載の筐体構造であって、
前記第１部材と前記金属部材とを結合するネジ
を更に具備し、
前記突起部は、前記ネジと結合するネジボス部である
筐体構造。
【請求項５】
請求項４に記載の筐体構造であって、
前記ネジボス部は、
前記ネジが結合する面に位置決め用突起部
を含み、
前記金属部材は、
前記ネジが挿通するネジ穴部と、
前記位置決め用突起部と係止する位置決め凹部と
を備え、前記位置決め用突起部と前記位置決め凹部とが係止して、前記第１部材と前記金属部材とは前記移動方向に係止する
筐体構造。
【請求項６】
請求項１乃至５の何れか一項に記載の筐体構造であって、
前記金属部材は、前記第１部材への取り付け方向と、前記第２部材との嵌合方向とが直交する
筐体構造。
【請求項７】
請求項１乃至６の何れか一項に記載の筐体構造であって、
前記第１部材と結合し、前記第２部材と共に前記第２面を構成する第３部材
を更に具備し、
前記金属部材は前記第１部材と前記第３部材とに挟持される
筐体構造。
【請求項８】
請求項１乃至７の何れか一項に記載の筐体構造であって、
前記筐体の内部に含まれる基板と前記金属部材とを接続するＧＮＤ部材
を更に具備し、
前記第２嵌合部は金属蒸着がなされ、前記第２嵌合部と、前記金属部材と、ＧＮＤ部材と、前記基板とが導通路を形成する
筐体構造。
【請求項９】
請求項１乃至８の何れか一項に記載の筐体構造を具備する
携帯機器。
【発明の詳細な説明】
【技術分野】
【０００１】
本発明は、筐体構造及び筐体構造を具備する携帯機器に関する。
【背景技術】
【０００２】
携帯機器は、小型化及び薄型化へと進んでおり、内部部品の実装領域を確保することは困難になりつつある。例えば、電池を収納する電池カバーのロック構造では、電池カバー先端にロック用の爪を配置し、筐体に嵌合させる方法が用いられている。しかし、樹脂製の爪は、外部衝撃に耐える剛性を確保するためにその大きさは大きく、内部部品の実装領域の確保を阻害してしまう。また、金属バネを用いたロック構造も採用されているが、金属バネを実装するために必要なスペースは大きい。更に、金属バネは、樹脂製の筐体と固定する際に、熱カシメが必要になるなど採用は困難な状況にある。
【０００３】
筐体の剛性向上に関して、筐体の組立て及び分解の容易性と嵌合筐体の剛性の向上を図ることが出来る電子機器が特許文献１に開示されている。この電子機器は、第一筐体と第二筐体とから構成される。第一筐体は、内壁側縁部に一端が開放された摺動溝を有する第一の係合爪を含む。第二筐体は、内壁側縁部に第一の係合爪と脱着可能に係合する第二の係合爪を含む。また、第二筐体は、第一筐体と第二筐体との結合時に、第一の結合爪から所定の間隔をおいて配設された係止リブを含む。第一筐体は、係止リブと第一の係合爪との間の所定の間隔に対応する貫通孔と、貫通孔に挿通され第二の係合爪の摺動を防止するロック部材とを備える。このような電子機器は、筐体内壁の第一の係合爪と第二の係合爪の係合により係合方向のずれは拘束される。更に、ロック部材によって、第一の係合爪と第二の係合爪の係合を解除する方向も拘束される。また、第一及び第二の係合爪の係合方向と直角方向も拘束されている。つまり、第一筐体と第二筐体との係合は、全方向に対し拘束され、筐体の嵌合は強固になるというものである。
【０００４】
電池カバーの構造に関して、携帯電子機器の落下時等にも破壊にしくい電池カバー構造が特許文献２に開示されている。この携帯電子機器は、携帯電子機器の筐体に設けた電池収納部と、それを覆う電池カバーとから構成される。電池収納部は、携帯電子機器の筐体の外壁面における略平面状の筐体面の範囲内に設けられ、電池カバーは外壁面が略平面形状で構成されることを特徴としている。このような携帯電子機器は、電池カバーの４辺が全てリアカバーに囲まれているため、電池カバーは角面を含まない。従って、携帯電子機器を落下しても電池カバーの角面が破損することがないというものである。
【０００５】
【特許文献１】特開２００１−８５８６４号公報
【特許文献２】特開２００４−２６５７８９号公報
【発明の開示】
【発明が解決しようとする課題】
【０００６】
本発明の課題は、小さく剛性のある嵌合部を有する筐体構造を提供することにある。
本発明の他の課題は、嵌合部の組み込みが容易な筐体構造を提供することにある。
【課題を解決するための手段】
【０００７】
本発明の筐体構造は、筐体の第１面及び第１面と直交する側壁面を構成する第１部材と、側壁面に接しながら移動可能であり、第１面と対向する第２面を構成する第２部材と、第１部材に取り付けられ第２部材と嵌合する金属製の金属部材とを具備する。第１部材は、側壁面の近傍に配置される突起部と、側壁面と突起部との間に形成された第１取付部とを備える。金属部材は、側壁面と突起部とを付勢して第１取付部に取り付けられる第２取付部と、第１嵌合部とを備える。第２部材は、第１嵌合部と移動方向に嵌合する第２嵌合部を備える。このような筐体構造は、第１部材と第２部材との嵌合を、第１部材に取り付けられた金属部材に基づいて、第１部材を移動する第２部材の移動方向に行うことが出来る。
【発明の効果】
【０００８】
本発明は、嵌合部が金属部材を含むことによって、小さく剛性のある嵌合部を有する筐体構造を提供することが可能となる。
【発明を実施するための最良の形態】
【０００９】
以下、添付図面を参照して本発明の実施の形態による筐体構造を説明する。
【００１０】
本発明の第１の実施の形態を説明する。図１は、本発明の筐体構造による筐体１を具備する携帯機器１００の分解斜視図の一例である。図１を参照すると、携帯機器１００は、筐体１と電池２とを具備する。筐体１は、内部に電池２、各種装置及び各種配線等を備え、外部の衝撃等から内部を保護する。筐体１は、フロントケース１０と、第１リアケース２０と、第２リアケース３０と、ネジ４０と、ロックバネ５０とを備える。尚、携帯機器１００に備わる各種装置及び各種配線等は周知の技術を用いるとし、説明を省略する（図示略）。
【００１１】
フロントケース１０は、携帯機器１００のフロント面及び側壁面を形成し、内部を保護する。図２の（ａ）は、フロントケース１０の斜視図である。図２の（ｂ）及び（ｃ）は、フロントケース１０に含まれるＡの詳細図である。図２の（ａ）を参照すると、フロントケース１０は、ネジボス部１１と、ネジボス部１２と、係合部１３とを含む。ネジボス部１１及びネジボス部１２は、ネジ４０と結合する。ネジボス部１１及びネジボス部１２とネジ４０との結合によって、フロントケース１０と第１リアケース２０とは外部衝撃に耐える強固な結合をする。ネジボス部１１とネジ４０とが結合する際は、ロックバネ５０と第１リアケース２０とを間に挟み結合する。係合部１３は、第２リアケース３０と係合する。
【００１２】
図２の（ｂ）及び（ｃ）を参照すると、ネジボス部１１は位置決め用突起部１４を含む。また、フロントケース１０の側壁面は内側に、内側面１５と、内側面１６と、内側面１７と、リブ１８とを含む。位置決め用突起部１４は、第１リアケース２０とネジ４０とが結合する面に配置する。位置決め用突起部１４は、後述するロックバネ５０をフロントケース１０に取り付ける際に、Ｙ方向の位置を固定する。従って、位置決め用突起部１４は、Ｙ方向に配置し、複数含むとより効果的である。図２の（ｂ）及び（ｃ）の例では、位置決め用突起部１４は、フロントケース１０のＹ方向に２箇所含んでいる。内側面１５と内側面１７とは、Ｘ方向の面である。内側面１６は、Ｚ方向の面である。リブ１８は、内側面１７に形成され、ネジボス部１１の方向に突出ている。図２の（ｃ）を参照すると、ネジボス部１１は、内側面１５、内側面１６と、内側面１７及びリブ１８とは外観不良（ヒケ）を防ぐために接していない。即ち、ネジボス部１１と内側面１７及びリブ１８との間には、クリアランスが存在する。ネジボス部１１と内側面１７とリブ１８とによって形成された外観不良を防ぐためのクリアランスは、ロックバネ５０を取り付ける部位となる。尚、ネジボス部１２は、外観不良を防ぐために内側面１７とのクリアランスは存在するが、位置決め用突起部１４とリブ１８とを含まない。
【００１３】
図１を参照して、第１リアケース２０は、第２リアケース３０と共に携帯機器１００のリア側を形成し、内部を保護する。第１リアケース２０はネジ４０が挿通するネジ穴２１を含む。第１リアケース２０とフロントケース１０とは、ネジ４０とネジボス部１１及び１２とが結合することで強固に結合する。
【００１４】
第２リアケース３０は、第１リアケース２０と共に携帯機器１００のリア側を形成し、内部を保護する。第２リアケース３０は、筐体１から脱着可能である。第２リアケース３０とフロントケース１０とは、電池２を内部に含み電池の保護機能を有するが、電池の保護機能に限るものではない。図３の（ａ）は、筐体１の内側を構成する第２リアケース３０の斜視図である。図３の（ｂ）は、筐体１の外側を構成する第２リアケース３０の斜視図である。図３の（ｃ）は、第２リアケース３０に含まれるＢの詳細図である。図３の（ａ）を参照すると、第２リアケース３０は、係合部３１と、摺動部３２とを含む。係合部３１は、フロントケース１０の係合部１３と係合する。係合部１３と係合部３１との係合は、フロントケース１０と第２リアケースとの結合力となる。摺動部３２は、フロントケース１０の内側面１５と内側面１６との少なくとも一部と接しながら移動可能である。摺動部３２がフロントケース１０の内側面１５と内側面１６との少なくとも一部と接して移動しながら、第２リアケース３０はフロントケース１０及び第１リアケース２０と結合する。また、第２リアケース３０は、フロントケース１０及び第１リアケース２０との結合が解除された後、内側面１５と内側面１６との少なくとも一部を摺動して筐体１から外れる。図３の（ｃ）を参照すると、摺動部３２はロック用リブ３３と係合部３４とを含む。ロック用リブ３３は、第２リアケース３０が移動してフロントケース１０と結合する際の、移動方向の嵌合部の一部を構成する。嵌合方法の説明は後述する。係合部３４は、第１リアケース２０と係合する。
【００１５】
図１を参照して、ネジ４０は、フロントケース１０と第１リアケース２０とを結合し、外部衝撃からの力に対抗する結合力を付与する。ネジ４０は、第１リアケース２０のネジ穴２１を挿通し、ネジボス部１１及びネジボス部１２と結合する。ネジ４０がネジボス部１１と結合する場合は、ネジ穴２１を挿通後、ロックバネ５０を挿通してから、ネジボス部１１と結合する。
【００１６】
ロックバネ５０は、板金を曲げ及び絞り加工されて形成されている。図４は、ロックバネ５０の斜視図である。図４を参照すると、ロックバネ５０は位置決め凹部５１と、貫通穴５２と、バネ部５３と、ロック用突起部５４とを含む。位置決め凹部５１は、フロントケース１０の位置決め用突起部１４と係止する。位置決め凹部５１と位置決め用突起部１４との係止によって、ロックバネ５０は、フロントケース１０に取り付けられる際のＹ方向の位置が固定される。貫通穴５２は、第１リアケース２０のネジ穴２１を挿通したネジ４０が挿通する。ネジ４０が貫通穴５２を挿通しネジボス部１１と結合することで、ロックバネ５０はフロントケース１０に強固に結合する。バネ部５３は、曲げ加工によって形成された部位である。バネ部５３は、Ｘ方向に位置決め凹部５１とロック用突起部５４とを近づけるような力を加えると、加えた力とは反対方向の元に戻る力をもたらす。バネ部５３の外から加えた力に反発する力は、リブ１８とネジボス部１１とに与えられ、その付勢力に基づいてロックバネ５０はフロントケース１０に取り付けられる。ロック用突起部５４は、絞り加工によって形成された部位であり、第２リアケース３０のロック用リブ３３と嵌合する。ロック用突起部５４は、ロック用リブ３３と共に第２リアケース３０がフロントケース１０と結合する際の、移動方向の嵌合部の一部を構成する。尚、図１では、ロックバネ５０が一つしか図示されていないが、２つのネジボス部１１は共にロックバネ５０を含むとする。
【００１７】
本発明の第１の実施の形態による筐体構造を含む筐体１の組立てについて説明する。
【００１８】
まず、ロックバネ５０のフロントケース１０への取り付けについて説明する。図５の（ａ）は、ロックバネ５０が取り付けられた後のフロントケース１０の内側を示す図である。図５の（ｂ）は、図５の（ａ）に含まれるＣの詳細図である。図５の（ｂ）を参照すると、ロックバネ５０は、ネジボス部１１とリブ１８とが配置する場所へＺ方向から取り付けられる。ロックバネ５０は、ネジ４０が貫通穴５２を挿通しネジボス部１１と結合できるようにフロントケース１０に取り付けられる。このとき、ネジボス部１１の位置決め用突起部１４とロックバネ５０の位置決め凹部５１とが係止しており、Ｙ方向の位置決めがなされる。Ｘ方向の位置決めは、ネジボス部１１とリブ１８とに基づいて行われる。
【００１９】
Ｘ方向の位置決めについて説明する。図６は、図５の（ｂ）に示されるＤＥ間の断面図である。図６を参照すると、ロックバネ５０は、ネジボス部１１とリブ１８との間のクリアランスに位置決め凹部５１とロック用突起部５４とが近づくようにＸ方向に撓みながら押込まれる。バネ部５３は、フロントケース１０のネジボス部１１とリブ１８との間に押込まれると、位置決め凹部５１とロック用突起部５４とが押込まれる前の位置に戻る力によって、押込まれた位置に固定される。ロックバネ５０は、ネジボス部１１と接触するまで押込まれる。このようにして、ロックバネ５０は、フロントケース１０のネジボス部１１と内側面１７とリブ１８との間のクリアランスに取り付けられる。ロックバネ５０は、ネジ４０によってフロントケース１０に強固に結合されなくとも、Ｘ方向及びＹ方向に固定されている。即ち、ロックバネ５０は、熱カシメなどの工程を必要とせずフロントケース１０に固定可能となる。
【００２０】
次に、ロックバネ５０が取り付けられたフロントケース１０と第１リアケース２０との結合について説明する。図７の（ａ）は、フロントケース１０と第１リアケース２０とが結合している筐体１のリア側の図である。即ち、図７の（ａ）は、図５の（ａ）に第１リアケース２０を結合させた図である。図７の（ｂ）は、図７の（ａ）に含まれるＦの詳細図である。図７の（ａ）及び（ｂ）を参照すると、ネジ４０がネジ穴２１を挿通することで、フロントケース１０と第１リアケース２０とはロックバネ５０を挟んで結合する。ネジ４０によって結合することで、フロントケース１０と第１リアケース２０とは外部衝撃に耐えられる強固な結合力が得られている。
【００２１】
図８は、図７の（ｂ）に示されるＧＨ間の断面図である。図８を参照すると、フロントケース１０と第１リアケース２０とはネジ４０によって結合し、その間にはロックバネ５０を含んでいる。
【００２２】
ロックバネ５０を含み結合しているフロントケース１０及び第１リアケース２０と、第２リアケース３０との結合を説明する。図９の（ａ）は、フロントケース１０及び第１リアケース２０と、第２リアケース３０とが結合していない状態を示した図である。図９の（ａ）の上段は、筐体１のリア側の全体図であり、下段はＩの詳細図である。図９の（ａ）を参照すると、第２リアケース３０がフロントケース１０及び第１リアケース２０と結合する際には、第２リアケース３０はフロントケース１０の内側面１５と内側面１６との少なくとも一部と接しＹ方向に移動しながら結合する。
【００２３】
図９の（ｂ）は、フロントケース１０に取り付けられたロックバネ５０と、第２リアケース３０とが嵌合し始めた状態を示した図である。図９の（ｂ）の上段は、筐体１のリア側の全体図であり、下段はＩの詳細図である。図９の（ａ）の状態から、第２リアケース３０がＹ方向に移動していくと、図９の（ｂ）に示したように、ロックバネ５０のロック用突起部５４と第２リアケース３０のロック用リブ３３とが接触する。図９の（ｂ）の状態から更にＹ方向に第２リアケース３０を移動していくと、ロック用突起部５４はＸ方向に撓む。これは、ロックバネ５０の位置決め凹部５１とロック用突起部５４とが近づくように撓むことでなされる。
【００２４】
図９の（ｃ）は、フロントケース１０及び第１リアケース２０と、第２リアケース３０とが結合した状態を示した図である。図９の（ｃ）の上段は、筐体１のリア側の全体図であり、下段はＩの詳細図である。図９の（ｂ）の状態から更にＹ方向に第２リアケース３０を移動していくと、ロック用リブ３３は、ロック用突起部５４を超える。このとき、ロック用突起部５４は、バネ部５３の元に戻る力によってロック用リブ３３に押込まれる前の位置へ戻る。ロック用突起部５４が戻ることでロック用リブ３３は固定され、フロントケース１０と第２リアケース３０とは移動方向に嵌合される。尚、ロック用突起部５４は図９の（ａ）の位置まで完全に戻るのではなく、元の位置に戻る前に第２リアケース３０と第１リアケース２０とが当たるため、ロック用突起部５４とロック用リブ３３とは僅かに接触したまま嵌合が完了する。従って、バネ部５３の付勢力が働き、第２リアケース３０は移動方向にガタつくことを抑制することが可能となる。また、フロントケース１０の内側面１５と第２リアケース３０の摺動部３２とに基づいて、第２リアケース３０はＸ方向に固定される。更に、フロントケース１０の係合部１３と第２リアケースの係合部３１との係合と、第１リアケース２０と第２リアケース３０の係合部３４とが係合することで、第２リアケース３０はＺ方向に固定される。尚、第２リアケース３０の係合部３４と係合する第１リアケース２０の部位は図示を省略する。このようにして、フロントケース１０及び第１リアケース２０と、第２リアケースとは結合する。
【００２５】
本発明の第１の実施の形態は、ロックバネ５０に基づいて、小さく剛性のある嵌合部を有する筐体構造を提供することが可能となる。フロントケース１０の側壁面とネジボス部１１は、外観不良を防ぐためにクリアランスをあけるのが通常であが、そのクリアランスはデッドスペースとなっていた。そこで本発明の筐体構造は、デッドスペースのクリアランスにロックバネ５０を取り付けることで、デッドスペースを嵌合部として有効利用し、更に必要であった樹脂製の爪を削除できる相乗効果によって、これまで以上に小さい嵌合部を形成することを可能にしている。また、ロックバネ５０は、バネ部５３の力と位置決め凹部５１とに基づいて、容易にフロントケース１０へ固定出来るため、熱カシメなどの余計な組立て工程を必要としない。従って、本発明の筐体構造は嵌合部の組み込みが容易である効果も奏している。
【００２６】
本発明の第２の実施の形態を説明する。本発明の第２の実施の形態は、第１の実施の形態に加えて、ロックバネ５０を介して内部の基板３と第２リアケース３０との導通路を形成するものである。
【００２７】
図１０は、本発明の第２の実施の形態を示した断面図である。図１０は、第１の実施の形態で説明した図６のＤＥ断面図と同様の部位を示したものである。図１０を参照すると、第２の実施の形態は、第１の実施の形態に加えてＧＮＤ部材６０を含む。ＧＮＤ部材６０は、基板３と接続し、更にロックバネ５０と接続する。
【００２８】
第２リアケース３０のロック用リブ３３は、金属蒸着がなされる。第２リアケース３０は、ロック用リブ３３のみでなく筐体１の内側全面に金属蒸着がなされていてもよい。
【００２９】
本発明の第２の実施の形態は、基板３と、ＧＮＤ部材６０と、ロックバネ５０と、第２リアケース３０とが導通路を形成することが出来る。従って、これら導通路によって筐体１の内部のシールド効果を奏することが可能となる。
【図面の簡単な説明】
【００３０】
【図１】図１は、本発明の筐体構造による筐体１を具備する携帯機器１００の分解斜視図の一例である。
【図２】図２の（ａ）は、フロントケース１０の斜視図である。図２の（ｂ）及び（ｃ）は、フロントケース１０に含まれるＡの詳細図である。
【図３】図３の（ａ）は、筐体１の内側を構成する第２リアケース３０の斜視図である。図３の（ｂ）は、筐体１の外側を構成する第２リアケース３０の斜視図である。図３の（ｃ）は、第２リアケース３０に含まれるＢの詳細図である。
【図４】図４は、ロックバネ５０の斜視図である。
【図５】図５の（ａ）は、ロックバネ５０が取り付けられた後のフロントケース１０の内側を示す図である。図５の（ｂ）は、図５の（ａ）に含まれるＣの詳細図である。
【図６】図６は、図５の（ｂ）に示されるＤＥ間の断面図である。
【図７】図７の（ａ）は、フロントケース１０と第１リアケース２０とが結合している筐体１のリア側の図である。図７の（ｂ）は、図７の（ａ）に含まれるＦの詳細図である。
【図８】図８は、図７の（ｂ）に示されるＧＨ間の断面図である。
【図９】図９の（ａ）は、フロントケース１０及び第１リアケース２０と、第２リアケース３０とが結合していない状態を示した図である。図９の（ｂ）は、フロントケース１０に取り付けられたロックバネ５０と、第２リアケース３０とが嵌合し始めた状態を示した図である。図９の（ｃ）は、フロントケース１０及び第１リアケース２０と、第２リアケース３０とが結合した状態を示した図である。
【図１０】図１０は、本発明の第２の実施の形態を示した断面図である。
【符号の説明】
【００３１】
１      筐体
１０    フロントケース
１１    ネジボス部
１２    ネジボス図
１３    係合部
１４    位置決め用突起部
１５    内側面
１６    内側面
１７    内側面
１８    リブ
２０    第１リアケース
２１    ネジ穴
３０    第２リアケース
３１    係合部
３２    摺動部
３３    ロック用リブ
３４    係合部
４０    ネジ
５０    ロックバネ
５１    位置決め凹部
５２    貫通穴
５３    バネ部
５４    ロック用突起部
１００  携帯機器
【図１】
2009278200.tif 000003
【図２】
2009278200.tif 000004
【図３】
2009278200.tif 000005
【図４】
2009278200.tif 000006
【図５】
2009278200.tif 000007
【図６】
2009278200.tif 000008
【図７】
2009278200.tif 000009
【図８】
2009278200.tif 000010
【図９】
2009278200.tif 000011
【図１０】
2009278200.tif 000012